(57)【要約】【課題】フラットケーブルを正確に接続できるコネクタを提供する。【解決手段】両側部に形成された切欠８ａを有するフラットケーブル８の端子を接続可能な本体部５と、切欠８ａのそれぞれに係合可能な係合部を有し、フラットケーブル８を本体部５との間に挟持して接続位置に固定するアクチュエータ６とを備えている。アクチュエータ６は、第１位置において係合部６ｂを切欠８ａに差し込み、係合部６ｂが切欠８ａに係合された状態で第２位置まで移動することで、フラットケーブル８を接続位置まで引込むように構成されている。【選択図】図４Ｃ
2019021529.tif 000002
【特許請求の範囲】
【請求項１】
両側部に形成された切欠を有するフラットケーブルの端子を接続可能な本体部と、
前記切欠のそれぞれに係合可能な係合部を有し、前記フラットケーブルを前記本体部との間に挟持して接続位置に固定するアクチュエータと、
を備え、
前記アクチュエータは、第１位置において前記係合部を前記切欠に差し込み、前記係合部が前記切欠に係合された状態で第２位置まで移動することで、前記フラットケーブルを前記接続位置まで引込むように構成されているコネクタ。
【請求項２】
前記本体部は、前記第２位置にて前記アクチュエータに形成された凹所に嵌合する嵌合部を備えている請求項１に記載のコネクタ。
【請求項３】
前記嵌合部は、金属製とされ、前記本体部を覆う被覆部を有している請求項２に記載のコネクタ。
【請求項４】
請求項１から３のいずれかに記載のコネクタを備えている電子機器。
【発明の詳細な説明】
【技術分野】
【０００１】
本発明は、コネクタ及びこれを備えた電子機器に関するものである。
【背景技術】
【０００２】
ノートブック型パーソナルコンピュータ（ノート型ＰＣ）、タブレット型パーソナルコンピュータ（タブレット型ＰＣ）、スマートフォン等の携帯型の電子機器では、内部基板の電気接続としてＦＰＣ（Flexible  Printed  Circuit）コネクタが多く用いられている（特許文献１参照）。
ＦＰＣコネクタのうち、アクチュエータを閉じることによってフラットケーブル（例えばＦＦＣ：Flexible  Flat  Cable）を挟み込んで固定するＺＩＦ（Zero  Insertion  Force）形式のものがある。
【先行技術文献】
【特許文献】
【０００３】
【特許文献１】特開２０１７−６８７３６号公報
【発明の概要】
【発明が解決しようとする課題】
【０００４】
ＺＩＦ形式のＦＰＣコネクタは、接続時に大きな力を必要としないので一部のピンが脱落したり曲がったりすることを防ぐことができる。しかし、アクチュエータを閉じることでフラットケーブルを固定できるので、接続が不完全であっても見かけ上は固定されることになる。したがって、フラットケーブルがコネクタに対して傾斜して挿入されることで接点不具合が発生したり、フラットケーブルの余長に起因してフラットケーブルが撓んだ状態（いわゆる煽りの状態）で接続されてしまうことがある。
【０００５】
本発明は、このような事情に鑑みてなされたものであって、フラットケーブルを正確に接続できるコネクタ及びこれを備えた電子機器を提供することを目的とする。
【課題を解決するための手段】
【０００６】
上記課題を解決するために、本発明のコネクタ及びこれを備えた電子機器は以下の態様を採用する。
本発明の第１態様に係るコネクタは、  両側部に形成された切欠を有するフラットケーブルの端子を接続可能な本体部と、前記切欠のそれぞれに係合可能な係合部を有し、前記フラットケーブルを前記本体部との間に挟持して接続位置に固定するアクチュエータとを備え、前記アクチュエータは、第１位置において前記係合部を前記切欠に差し込み、前記係合部が前記切欠に係合された状態で第２位置まで移動することで、前記フラットケーブルを前記接続位置まで引込むように構成されている。
【０００７】
さらに、前記本体部は、前記第２位置にて前記アクチュエータに形成された凹所に嵌合する嵌合部を備えていることが好ましい。
【０００８】
さらに、前記嵌合部は、金属製とされ、前記本体部を覆う被覆部を有していることが好ましい。
【０００９】
また、本発明の第２態様に係る電子機器は、上記のいずれかに記載のコネクタを備えている。
【発明の効果】
【００１０】
アクチュエータに設けた係合部によってフラットケーブルを引き込むこととしたので、フラットケーブルをコネクタに対して正確に接続することができる。
【図面の簡単な説明】
【００１１】
【図１】本発明の一実施形態に係るコネクタが配置された基板を示した平面図である。
【図２】本発明の一実施形態に係るコネクタを示した平面図である。
【図３Ａ】アクチュエータの起立状態を示した断面図である。
【図３Ｂ】アクチュエータの倒伏状態を示した断面図である。
【図３Ｃ】アクチュエータが本体部側に引き込まれた状態を示した断面図である。
【図４Ａ】アクチュエータの係合部がフラットケーブルの切欠に挿入された第１位置における状態を示した断面図である。
【図４Ｂ】アクチュエータの係合部がフラットケーブルの切欠に係合した状態を示した断面図である。
【図４Ｃ】フラットケーブルがコネクタに接続された第２位置における接続状態を示した断面図である。
【図５】フラットケーブルの切欠にアクチュエータの係合部が挿入された状態を示した平面図である。
【図６Ａ】フラットケーブルの切欠にアクチュエータの係合部が挿入された状態を示した平面図である。
【図６Ｂ】フラットケーブルの切欠にアクチュエータの係合部が係合した状態を示した平面図である。
【発明を実施するための形態】
【００１２】
以下に、本発明のコネクタ及びこれを備えた電子機器の一実施形態について、図面を参照して説明する。
【００１３】
電子機器としては、例えば、ノートブック型パーソナルコンピュータ（ノート型ＰＣ）、タブレット型パーソナルコンピュータ（タブレット型ＰＣ）、スマートフォン等が挙げられる。
【００１４】
図１には、電子機器に内蔵された基板１の一例が示されている。基板１上には、電気信号の入出力のために複数のコネクタ３が用いられている。コネクタ３としては、ＺＩＦ（Zero  Insertion  Force）形式のＦＰＣ（Flexible  Printed  Circuit）コネクタが用いられる。なお、図示しないが、基板１上にはプロセッサやメモリ等の各種電子部品が実装されていてもよい。
【００１５】
図２に示すように、コネクタ３は、本体部５と、アクチュエータ６とを備えている。
本体部５は、平面視した場合に幅広の略長方形形状とされている。本体部５は、基板１側のパターン配線に電気接続された多数の端子５ａを有している。
【００１６】
アクチュエータ６は、平面視した場合に幅広の略長方形形状とされている。アクチュエータ６は、本体部５に対して相対的に移動可能に接続されており、本体部５と協働してフラットケーブル８（例えば図３Ａ参照）を挟み込んで接続位置に固定する。具体的には、アクチュエータ６は、本体部５に対して立ち上がった状態の起立位置（図３Ａ参照）と、この起立位置から矢印Ａ１方向に回動されて倒された倒伏位置（図３Ｂ参照）と、この倒伏位置から矢印Ａ２方向へと本体部５側に引き込まれた引込位置（図３Ｃ参照）との間を動作する。このように、アクチュエータ６は、回動動作（図３Ｂの矢印Ａ１参照）とスライド動作（図３Ｃの矢印Ａ２参照）とからなる２アクションで動作するようになっている。アクチュエータ６には、本体部５に接続された図示しない回動軸が設けられており、さらにこの回動軸が引込方向（図３Ａ〜３Ｃにおいて水平方向）にスライドするようになっている。なお、アクチュエータ６の各位置への動作は、作業者の手によって行われる。
【００１７】
図２に示すように、本体部５には、本体部５の上部を覆うように、板バネ７が固定されている。板バネ７は、例えばステンレス等の金属製とされ、本体部５の幅方向の略全体にわたって設けられた被覆部７ｂを有している。板バネ７の幅方向における両端、すなわち被覆部７ｂの両端のそれぞれには、図４Ａに示すように嵌合部７ａが設けられている。嵌合部７ａは、下方（アクチュエータ６側）に突出しており、図４Ｃに示すように、アクチュエータ６の上面に形成された凹所６ａ内に嵌合するようになっている。
【００１８】
図４Ａ〜４Ｃ及び図５に示すように、アクチュエータ６の幅方向における両端のそれぞれには、下方に向けて突出する係合部６ｂが設けられている。各係合部６ｂは、例えばＦＦＣ（Flexible  Flat  Cable）とされたフラットケーブル８の両側部に形成された矩形状の切欠８ａに係合するようになっている。図５のように平面視した状態において、係合部６ｂの大きさは切欠８ａよりも小さくされており、具体的には、係合部６ｂの引込方向（図５における矢印Ａ５方向）の寸法が切欠８ａの引込方向の寸法よりも小さくされている。
【００１９】
各係合部６ｂは、図６Ａに示すようにフラットケーブル８の切欠８ａに挿入された後に、図６Ｂに示すように切欠８ａの先端側端部８ａ１に係合部６ｂが当接してフラットケーブル８を引き込むようになっている。なお、図６Ａにおいて符号８ｂはフラットケーブル８に設けられた端子を示す。
【００２０】
具体的には、切欠８ａは、フラットケーブル８の切欠８ａ内に挿入され（図４Ａ参照）、その後、アクチュエータ６が本体部５側に引き込まれるようにスライドする際に、切欠８ａの先端側端部８ａ１に係合部６ｂが当接し（図３Ｂ参照）、さらなるアクチュエータ６のスライド移動に伴いフラットケーブル８を本体部５側に引込む（図３Ｃ参照）。
【００２１】
次に、コネクタ３に対してフラットケーブル８を接続する動作について説明する。
【００２２】
先ず、図３Ａに示すように起立状態とされたアクチュエータ６と本体部５との間に、フラットケーブル８の先端を差し込む。
【００２３】
そして、図３Ｂに示すように、矢印Ａ１方向にアクチュエータ６を回動させて倒伏状態とする。このとき、アクチュエータ６の係合部６ｂは、図４Ａ及び図６Ａに示すように、フラットケーブル８の両側に形成された切欠８ａ内に挿入される（この位置を「第１位置」という）。
【００２４】
次に、アクチュエータ６を本体部５側に向けてスライドさせる（図３Ｃの矢印Ａ２，図４Ｂの矢印Ａ３，図６Ａの矢印Ａ６）。そうすると、アクチュエータ６の係合部６ｂがフラットケーブル８の切欠８ａの先端側端部８ａ１に当接し（図４Ｂ，図６Ｂ）、フラットケーブル８を本体部５側に引込む（図４Ｃの矢印Ａ４，図６Ｂの矢印Ａ７）。これと同時に、図４Ｂ及び図４Ｃに示すように、板バネ７の嵌合部７ａがアクチュエータ６の先端の斜面を乗り越えた後に、アクチュエータ６の凹所６ａ内に嵌合される。これにより、アクチュエータ６が本体部５に対して固定されるとともに、フラットケーブル８がアクチュエータ６と本体部５との間で挟まれた状態で接続位置にて確実に固定される（この位置を「第２位置」という）。このとき、フラットケーブル８は、アクチュエータ６の両側に設けた２つの係合部６ｂによってフラットケーブル８の長手方向に沿って正確に移動させられるので、本体部５との電気的接続が正確に行われる。
【００２５】
以上の通り、本実施形態によれば、以下の作用効果を奏する。
アクチュエータ６に係合部６ｂを設け、フラットケーブル８の両側部に形成された切欠８ａに係合させるようにした。アクチュエータ６は、係合部６ｂが切欠８ａに差し込まれる第１位置（図４Ａ参照）と、係合部６ｂが切欠８ａに係合してフラットケーブル８を接続位置まで引込む第２位置（図４Ｃ参照）との間を移動可能とされている。これにより、第１位置から第２位置までフラットケーブル８を引き込む際にフラットケーブル８の姿勢を各係合部６ｂによって一定にして接続位置まで導くことができ、フラットケーブル８と本体部５との電気的接続を正確に行うことができる。
【００２６】
図４Ｃに示したように、第２位置にて板バネ７の嵌合部７ａがアクチュエータ６の凹所６ａに嵌合することによって、アクチュエータ６を第２位置で確実に固定することができる。これにより、アクチュエータ６の移動を規制できるので、フラットケーブル８が外れてしまうことを防止できる。
【００２７】
嵌合部７ａを備えた板バネ７を金属製とし、本体部５を覆う被覆部７ｂを設けることで、ノイズに対するシールド性を向上させることができる。
【符号の説明】
【００２８】
１  基板
３  コネクタ
５  本体部
６  アクチュエータ
６ａ  凹所
６ｂ  係合部
７  板バネ
７ａ  嵌合部
７ｂ  被覆部
８  フラットケーブル
８ａ  切欠
８ａ１  先端側端部
８ｂ  端子
【図１】
2019021529.tif 000003
【図２】
2019021529.tif 000004
【図３Ａ】
2019021529.tif 000005
【図３Ｂ】
2019021529.tif 000006
【図３Ｃ】
2019021529.tif 000007
【図４Ａ】
2019021529.tif 000008
【図４Ｂ】
2019021529.tif 000009
【図４Ｃ】
2019021529.tif 000010
【図５】
2019021529.tif 000011
【図６Ａ】
2019021529.tif 000012
【図６Ｂ】
2019021529.tif 000013